(57)【特許請求の範囲】
【請求項１】
フック本体と、開閉装置と、第一安全装置と、第二安全装置とを備えており、
フック本体が、先端に位置する鉤部を備えており、
鉤部が、鉤部本体と、鉤部本体から屈曲して延びる鉤部先端と、鉤部本体と鉤部先端の間に鉤口を備えており、
開閉装置が、開閉キャップと、弾性体とを備えており、
開閉キャップが、開閉キャップ先端を備えており、
開閉キャップが、フック本体に摺動可能に取り付けられており、
開閉キャップ先端が、鉤部先端と鉤部本体の間で移動可能にされており、
開閉キャップ先端が、弾性体の付勢力により鉤部先端に当接して鉤口を塞いでおり、
第一安全装置が、安全キャップと、第一弾性体とを備えており、
安全キャップが、フック本体に摺動可能に取り付けられており、
安全キャップが、安全キャップ先端を備えており、
安全キャップ先端が、第一弾性体の付勢力により開閉キャップに係合しており、
第二安全装置が、ロックレバーを備えており、
ロックレバーが、開閉キャップ又は安全キャップに、スライド又は回動可能に取り付けられて、摺動可能にされており、
ロックレバーが、取り付けられた開閉キャップ又は安全キャップの摺動を阻止する位置に配置されており、
開閉キャップ及び安全キャップを握る手に接触するロックレバーの接触部分が、取り付けられた開閉キャップ又は安全キャップの摺動方向にほぼ直交する向きに摺動させられて、取り付けられた開閉キャップ又は安全キャップの摺動阻止が解除されており、
このロックレバーの摺動方向の一方で開閉キャップ又は安全キャップの摺動阻止がされており、この摺動方向の他方で開閉キャップ又は安全キャップの摺動阻止の解除がされており、
このロックレバーの摺動方向の一方でのロックレバーの接触部分の位置が摺動方向の他方でのロックレバーの接触部分の位置より鉤部に近い位置にある安全帯用フック。
【請求項２】
２つの第二安全装置を備えており、
一の第二安全装置が開閉キャップに取り付けられており、
他の第二安全装置が安全キャップに取り付けられている請求項１に記載の安全帯用フック。
【請求項３】
第二安全装置が、ロックレバーと、第二弾性体とを備えており、
ロックレバーが、第二弾性体の付勢力により、ロックレバーの摺動方向の一方の位置に配置されており、
ロックレバーが、ロックレバーの摺動方向の他方の位置に摺動させられて、取り付けられた開閉キャップ又は安全キャップの摺動阻止が解除される請求項１又は２に記載の安全帯用フック。
【請求項４】
ベルトと、ベルトに連結された命綱と、命綱に連結されたフックとを備えており、
フックが、フック本体と、開閉装置と、第一安全装置と、第二安全装置とを備えており、
フック本体が、先端に位置する鉤部を備えており、
鉤部が、鉤部本体と、鉤部本体から屈曲して延びる鉤部先端と、鉤部本体と鉤部先端の間に鉤口を備えており、
開閉装置が、開閉キャップと、弾性体とを備えており、
開閉キャップが、開閉キャップ先端を備えており、
開閉キャップが、フック本体に摺動可能に取り付けられており、
開閉キャップ先端が、鉤部先端と鉤部本体の間で移動可能にされており、
開閉キャップ先端が、弾性体の付勢力により鉤部先端に当接して鉤口を塞いでおり、
第一安全装置が、安全キャップと、第一弾性体とを備えており、
安全キャップが、フック本体に摺動可能に取り付けられており、
安全キャップが、安全キャップ先端を備えており、
安全キャップ先端が、第一弾性体の付勢力により開閉キャップに係合しており、
第二安全装置が、ロックレバーを備えており、
ロックレバーが、開閉キャップ又は安全キャップに、スライド又は回動可能に取り付けられて、摺動可能にされており、
ロックレバーが、取り付けられた開閉キャップ又は安全キャップの摺動を阻止する位置に配置されており、
開閉キャップ及び安全キャップを握る手に接触するロックレバーの接触部分が、取り付けられた開閉キャップ又は安全キャップの摺動方向にほぼ直交する向きに摺動させられて、取り付けられた開閉キャップ又は安全キャップの摺動阻止が解除されており、
このロックレバーの摺動方向の一方で開閉キャップ又は安全キャップの摺動阻止がされており、この摺動方向の他方で開閉キャップ又は安全キャップの摺動阻止の解除がされており、
このロックレバーの摺動方向の一方でのロックレバーの接触部分の位置が摺動方向の他方でのロックレバーの接触部分の位置より鉤部に近い位置にある安全帯。
【発明の詳細な説明】
【技術分野】
【０００１】
本発明は、安全帯用フック及び安全帯に関する。詳細には、本発明は、安全帯用フックの鉤部の開閉キャップの開閉機構に関する。
【背景技術】
【０００２】
電気、土木、建築などの高所作業では高所作業用安全帯が使用されている。高所作業用安全帯は、ベルト、ベルトに連結された命綱及び命綱の先端に連結されたフックを備えている。高所作業では、ベルトが身体に巻付けられる。フックが構造物に係止される。作業者は命綱の長さにより許容される移動範囲で作業する。万が一、作業者が高所から落下した時には、この安全帯により作業者の墜落事故が防止される。
【０００３】
作業者が、作業場所を変える場合には、新たな作業場所周辺の構造物にフックが係止し直される。フックは係合する場所を変えられるように、フックの鉤口が開閉可能な構造とされている。しかし、作業中に簡単に鉤口が開放されてしまうことがあってはならない。フックは、係止が簡単に開放されない構造を備えている。
【０００４】
従来より使用されているフックは、鉤口を閉鎖する開閉キャップを備えている。開閉キャップが回動することで、鉤口が開閉される。鉤口が開かれた状態でフックは構造物に係止される。係止された後に開閉キャップが閉じられて、フックが構造物から外れないようにされている。更に、この開閉キャップの回動を阻止するために安全キャップが備えられている。安全キャップが解除されて開閉キャップが回動可能とされる構造である。フックは開閉キャップ及び安全キャップの二重の安全装置を備えている。
【０００５】
安全性を確保した上で、作業性を考慮する必要がある。このため、従来のフックは開閉キャップと安全キャップとを手で握る動作でフックの開放が可能な構造とされているものがある。手で握る動作で操作できるフックは、作業性に優れている。しかしながら、フックが作業者と構造物との間に挟まれる場合など特有の状況ではフックの係止が開放される可能性が完全にないとはいえない。
【０００６】
より安全性を確保したフックが実用新案登録第３０３５２６８号公報に開示されている。このフックは、開閉キャップ、安全キャップ及びスライドレバーを備えている。このフックでは、開閉キャップがフックの鉤口を塞ぐ。安全キャップが開閉キャップの回動を阻止する。更に、スライドレバーが開閉キャップの回動を阻止する。このフックは、三重の安全装置を備えている。このフックでは、スライドレバーが開閉キャップの回動を許容する向きにスライドさせられる。その後に、安全キャップと開閉キャップが握られる。この動作により、開閉キャップが回動させられてフックの鉤口が開放される。
【０００７】
このフックの鉤口の開放には、まず、スライドレバーをスライドさせる。このスライドレバーは、開閉キャップ及び安全キャップとは別体である。このスライドレバーのスライド方向はフックを握る向きと異なっている。フックを握る方向の外力により誤ってフックが開放されることがない。前述の二重の安全装置を備えたフックに比べ、より安全性に優れている。
【特許文献１】実用新案登録第３０３５２６８号公報
【発明の開示】
【発明が解決しようとする課題】
【０００８】
このフックの鉤口を開放するとき、作業者は、スライドレバーをスライドさせる操作と安全キャップ及び開閉キャップを回動させる動作との２つの動作が必要となる。スライドレバーは、安全キャップ及び開閉キャップと別体であり、スライド方向が、フックが握られる方向と異なる。スライドレバーをスライドさせる操作と安全キャップ及び開閉キャップを回動させる動作との間には、フックの握り直し若しくは持ち替え動作が必要となる。安全性には優れるが、操作性に劣る。
【０００９】
本発明の目的は、開閉キャップ及び安全キャップの開閉に関して、安全性と操作性とを兼ね備えた安全帯用フック及び安全帯の提供にある。
【課題を解決するための手段】
【００１０】
本発明に係る安全帯用フックは、フック本体と、開閉装置と、第一安全装置と、第二安全装置とを備えている。フック本体は、先端に位置する鉤部を備えている。鉤部は、鉤部本体と、鉤部本体から屈曲して延びる鉤部先端と、鉤部本体と鉤部先端の間に鉤口を備えている。開閉装置は、開閉キャップと、弾性体とを備えている。開閉キャップは、開閉キャップ先端を備えている。開閉キャップは、フック本体に摺動可能に取り付けられている。開閉キャップ先端は、鉤部先端と鉤部本体の間で移動可能にされている。開閉キャップ先端は、弾性体の付勢力により鉤部先端に当接して鉤口を塞いでいる。第一安全装置は、安全キャップと、第一弾性体とを備えている。安全キャップは、フック本体に摺動可能に取り付けられている。安全キャップは、安全キャップ先端を備えている。安全キャップ先端は、第一弾性体の付勢力により開閉キャップに係合している。第二安全装置は、ロックレバーを備えている。ロックレバーは、開閉キャップ又は安全キャップに摺動可能に取り付けられている。ロックレバーは、取り付けられた開閉キャップ又は安全キャップの摺動を阻止する位置に配置されている。ロックレバーは、取り付けられた開閉キャップ又は安全キャップの摺動方向にほぼ直交する向きに摺動させられて、取り付けられた開閉キャップ又は安全キャップの摺動阻止が解除される。
【００１１】
本発明に係る安全帯用フックは、好ましくは２つの第二安全装置を備えている。一の第二安全装置は開閉キャップに取り付けられている。他の第二安全装置は安全キャップに取り付けられている。
【００１２】
好ましくは、第二安全装置は、ロックレバーと、第二弾性体とを備えている。ロックレバーは、第二弾性体により、取り付けられた開閉キャップ又は安全キャップの摺動を阻止する位置に配置されている。ロックレバーは、取り付けられた開閉キャップ又は安全キャップの摺動方向にほぼ直交する向きに摺動させられて、取り付けられた開閉キャップ又は安全キャップの摺動阻止が解除される。
【００１３】
好ましくは、第二安全装置は、ロックレバーと、第二弾性体とを備えている。ロックレバーは、開閉キャップ又は安全キャップに回動可能に取り付けられている。ロックレバーは、第二弾性体により、取り付けられた開閉キャップ又は安全キャップの摺動を阻止する位置に配置されている。ロックレバーは、取り付けられた開閉キャップ又は安全キャップの摺動方向にほぼ直交する向きに回動させられて、取り付けられた開閉キャップ又は安全キャップの摺動阻止が解除される。
【００１４】
本発明に係る安全帯は、ベルトと、ベルトに連結された命綱と、命綱に連結されたフックとを備えている。フックは、フック本体と、開閉装置と、第一安全装置と、第二安全装置とを備えている。フック本体は、先端に位置する鉤部を備えている。鉤部は、鉤部本体と、鉤部本体から屈曲して延びる鉤部先端と、鉤部本体と鉤部先端の間に鉤口を備えている。開閉装置は、開閉キャップと、弾性体とを備えている。開閉キャップは、開閉キャップ先端を備えている。開閉キャップは、フック本体に摺動可能に取り付けられている。開閉キャップ先端は、鉤部先端と鉤部本体の間で移動可能にされている。開閉キャップ先端は、弾性体の付勢力により鉤部先端に当接して鉤口を塞いでいる。第一安全装置は、安全キャップと、第一弾性体とを備えている。安全キャップは、フック本体に摺動可能に取り付けられている。安全キャップは、安全キャップ先端を備えている。安全キャップ先端は、第一弾性体の付勢力により開閉キャップに係合している。第二安全装置は、ロックレバーを備えている。ロックレバーは、開閉キャップ又は安全キャップに摺動可能に取り付けられている。ロックレバーは、取り付けられた開閉キャップ又は安全キャップの摺動を阻止する位置に配置されている。ロックレバーは、取り付けられた開閉キャップ又は安全キャップの摺動方向にほぼ直交する向きに摺動させられて、取り付けられた開閉キャップ又は安全キャップの摺動阻止が解除される。
【発明の効果】
【００１５】
本発明に係る安全帯用フックでは、開閉キャップ及び安全キャップが回動する方向と第二安全装置のロックレバーの摺動の方向がほぼ直交している。このフックでは、開閉キャップ及び安全キャップを手で握った状態で、第二安全装置のロックレバーの摺動の操作が可能となっている。このフックは、安全性と操作性とを兼ね備えている。本発明に係る安全帯は、安全性と操作性とを兼ね備えている。
【発明を実施するための最良の形態】
【００１６】
以下、適宜図面が参照されつつ、好ましい実施形態に基づいて本発明が詳細に説明される。
【００１７】
図１は、本発明の一実施形態に係るフック２が取り付けられた安全帯１００が示された正面図である。この安全帯１００は、ベルト１０２と、角環１０４と、伸縮調節器１０６と、ロープ１０８と、フック２とを備えている。ロープ１０８は命綱である。フック２はロープ１０８の一端に連結されている。ロープ１０８の他端は、伸縮調節器１０６に通されて、伸縮調節器１０６に連結されている。伸縮調節器１０６は、角環１０４に連結されている。角環１０４は、ベルト１０２に連結されている。このフック２は、命綱であるロープ１０８を介してベルト１０２に連結されている。このフック２は、角環１０４と伸縮調節器１０６を介してベルトに連結されている。フック２は、命綱を介してベルトに連結されていればよく、角環１０４及び伸縮調節器１０６に代えて他の連結金具を用いて命綱とベルトが連結されても良いし、命綱が直接ベルト１０２に連結されていてもよい。
【００１８】
図２は、図１のフック２が示された正面図である。図３は、図１のフック２の一部分の拡大断面図である。説明の都合上、図２において左右方向が水平方向とされている。このフック２は、フック本体４、開閉装置６及び第一安全装置８及び第二安全装置１０を備えている。
【００１９】
フック本体４は、図２の鉛直方向に厚みのある板状の形状である。このフック本体４は図２の紙面に平行な平面１１と鉛直な側面１２から形成されている。フック本体４は、先端に位置する鉤部１３と、後端に位置する環部１４とを備えている。この環部１４には図示しない命綱が連結される。鉤部１３は、鉤部本体１６と、鉤部先端１８と、係止部２０と、鉤口２２とを備えている。鉤部先端１８は、鉤部本体１６から上方に屈曲して延びて形成されている。係止部２０は、鉤部本体１６と鉤部先端１８の間の屈曲形状で形成された凹部である。鉤部本体１６と鉤部先端１８との間の開口が鉤口２２である。
【００２０】
開閉装置６は、軸孔２４、長孔２６、弾性体座部２８、開閉キャップ３０及び弾性体３６から構成されている。開閉キャップ３０は、軸３４、ピン３５及び突起３８を備えている。軸孔２４、長孔２６及び弾性体座部２８は、フック本体４に形成されている。軸孔２４は、フック本体４の平面１１の後端側の上方に形成されている。長孔２６は、フック本体４の平面１１の中央付近に形成されている。長孔２６は、軸孔２４から所定の距離離されて形成されている。長孔２６の長孔方向は、長孔２６から軸孔２４への方向とほぼ直交している。弾性体座部２８は、フック本体４の上方の側面１２に形成されている。弾性体座部２８は軸孔２４と鉤部先端１８の間に形成されている。
【００２１】
開閉キャップ３０は、互いに対向する２面３１と、この２面３１を一体に連結する連結部３２とからなる。連結部３２はほぼ水平方向に延びており、連結部３２の左端が開閉キャップ先端３３の一部分を形成している。開閉キャップ３０の右向き後端側には、対向する２面３１を跨いで軸３４が固定されている。開閉キャップ３０の中央部には、対向する２面３１を跨いでピン３５が固定されている。先端と後端の間の連結部３２には、対向する２面の開口向きに突起３８が固定されている。この突起３８には、弾性体３６の一端が配置されている。図２では、弾性体３６としてコイルバネが配置されている。
【００２２】
開閉キャップ３０は、フック本体４に対して摺動可能に取り付けられる。開閉キャップ３０の対向する２面３１は、フック本体４の上方の側面１２を挟んでいる。対向する２面３１は、フック本体４の平面１１に平行な面である。軸３４は、軸孔２４に回転可能に取り付けられている。これにより、開閉キャップ３０は、軸３４を回転中心にして回動可能となっている。開閉キャップ３０の把握部は、ほぼ上下方向に回動可能となっている。開閉キャップ先端３３はフック本体４の鉤部本体１６と鉤部先端１８との間に位置している。開閉キャップ先端３３は、鉤部本体１６と鉤部先端１８との間でほぼ上下方向に回動可能である。ピン３５は、フック本体４の長孔２６に通されている。ピン３５は、開閉キャップ３０の回動に伴い、長孔２６内を移動する。弾性体３６の他端は、フック本体４の弾性体座部２８に係合している。この弾性体３６は、開閉キャップ３０をフック本体４から押し離す向きに付勢している。開閉キャップ先端３３は、鉤部先端１８に付勢されている。鉤口２２は、開閉キャップ先端３３が鉤部先端１８に付勢されて閉じられている。
【００２３】
第一安全装置８は、第一軸孔４０、第一弾性体座部４２、安全キャップ４４、及び第一弾性体４９から構成されている。安全キャップ４４は、第一軸４８及び第一突起５０を備えている。第一軸孔４０及び第一弾性体座部４２はフック本体４に形成されている。第一軸孔４０は、フック本体４の平面１１の中央の下方に形成されている。第一弾性体座部４２は、フック本体４の下方の側面１２に形成されている。第一弾性体座部４２は、第一軸孔４０から右向きのフック本体４の後端側の側面１２に形成されている。
【００２４】
安全キャップ４４は、互いに対向する２面４５と、この２面４５を一体に連結する連結部４６とからなる。この連結部４６は、ほぼ水平方向に延びている。安全キャップ先端４７は、第一軸４８から上方に向かって延びている。安全キャップ先端４７は、互いに対向する２面４５からそれぞれ延びている。安全キャップ先端４７には、凹部５２が形成されている。第一軸４８は、安全キャップ４４の対向する２面４５を跨いで固定されている。安全キャップ４４の連結部４６には、対向する２面の開口向きに第一突起５０が固定されている。この第一突起５０には、第一弾性体４９の一端が配置されている。図２では、第一弾性体４９としてコイルバネが配置されている。
【００２５】
安全キャップ４４は、対向する２面４５の間にフック本体４の下方の側面１２を挟んで摺動可能に取り付けられる。対向する２面４５は、フック本体４を間にして、フック本体４の平面１１に平行な面である。第一軸４８は、第一軸孔４０に回動可能に取り付けられている。これにより、安全キャップ４４は、第一軸４８を回転中心として回動可能となっている。安全キャップ４４の把握部は、ほぼ上下方向に回動させられる。安全キャップ先端４７は、フック本体４を間に挟んで摺動可能となっている。この安全キャップ先端４７は、開閉キャップ３０の対向する２面の間に摺動可能に位置している。開閉キャップ先端３３が鉤部先端１８に当接している位置で、凹部５２はピン３５に係合している。第一弾性体４９の他端はフック本体４の第一弾性体座部４２に係合している。第一弾性体４９は安全キャップ４４の凹部５２をピン３５に向けて付勢している。この凹部５２とピン３５との係合により、開閉キャップ３０の鉤口開放向きの回動が阻止されている。
【００２６】
第二安全装置１０は、ロック受け面５４、凹部５６、ロックレバー５８、第二弾性体６０、第二弾性体止め具６２及び長孔６４から構成されている。ロック受け面５４及び凹部５６は、フック本体４の上方の側面１２に形成されている。ロック受け面５４と凹部５６とは、軸孔２４と鉤部先端１８との間に形成されている。長孔６４は、開閉キャップ３０の連結部３２に形成されている。長孔６４の長孔方向は、ほぼ水平方向になっている。
【００２７】
ロックレバー５８は、ロック棒６６、つまみ６８及び円板７０からなる。ロック棒６６は開閉キャップ３０の連結部３２に形成された長孔６４に通されている。つまみ６８と円板７０とは長孔６４を間にしてロック棒６６に固定されている。つまみ６８及び円板７０によりロック棒６６は長孔６４からの抜け止めされている。ロック棒６６は、長孔６４の長手方向に摺動可能にされている。第二弾性体止め具６２は、開閉キャップ３０の連結部３２に固定されている。第二弾性体止め具６２は、長孔６４からその長孔方向に所定距離を離されている。第二弾性体６０の一端がこの第二弾性体止め具６２に、他端がロック棒６６に固定されている。ロック棒６６は第二弾性体６０により第二弾性体止め具６２の向きに付勢されている。ロック棒６６は長孔６４の左側内面に当接している。フック本体４の上方の側面１２には、ロック受け面５４が形成されている。ロック棒６６が長孔６４の左側内面に当接する位置で、ロック棒６６の先端は、ロック受け面５４に対向している。フック本体４の上方の側面１２には、このロック受け面５４に連続して凹部５６が形成されている。凹部５６は、ロック受け面５４より右側位置に形成されている。
【００２８】
図２のフック２では、開閉キャップ先端３３は、弾性体３６の付勢力により鉤部先端１８に当接している。鉤口２２は開閉キャップ３０により閉じられている。これにより、係止部２０に係止された構造物７１が抜け止めされている。第一弾性体４９の付勢力により安全キャップ４４の凹部５２は、開閉キャップ３０のピン３５に当接している。これにより、開閉キャップ３０の鉤口２２を開放する向きの回動が阻止されている。第二弾性体６０によりロック棒６６は長孔６４の左側内面に当接している。この当接位置ではロック棒６６の先端はロック受け面５４に対向している。開閉キャップ３０の鉤口２２を開放する向きに回動すると、ロック棒６６の先端がロック受け面５４に当接する。開閉キャップ３０は、鉤口２２を開放する向きの回動を阻止されている。このフック２は、三重の係止外れ防止が図られている。
【００２９】
このフック２の使用方法が説明される。図２のフック２の開閉キャップ３０及び安全キャップ４４が手で握られる。握ったまま、フック２が後端側に引かれる。フック２は構造物７１に係止されている。手は、握られた状態でフック２に対して後端側にスライドする。この手のスライドによりロックレバー５８は、第二弾性体６０の付勢力に抗して後端側に摺動する。ロック棒６６は凹部５６の上方に移動させられる。これにより、第二安全装置１０による開閉キャップ３０の回動阻止が解除される。
【００３０】
この操作ためには、ロックレバー５８は、開閉キャップ３０と安全キャップ４４とを握った状態で操作できる位置にあればよい。ロックレバー５８は、開閉キャップ３０又は安全キャップ４４に取り付けられることが好ましい。第二安全装置１０は、開閉キャップ３０の対向する二面３１に取り付けても良い。このフック２では、ロックレバー５８はフック２の後端側にスライドさせているが、先端側にスライドさせる構造でもよい。この場合、第二弾性体６０は右向きに付勢してロック棒６６は長孔６４の右側内面に当接させる。凹部５６は、ロック受け面５４より左側位置に形成される。フック２は鉤口２２を塞ぐ開閉キャップ３０が構造物７１に押し付けられる。手は、握られた状態でフック２に対して先端側にスライドする。この手のスライドにより、ロックレバー５８は、先端側に第二弾性体６０の付勢力に抗して後端側に摺動する。ロック棒６６は凹部５６の上方に移動させられる。これにより、第二安全装置１０による開閉キャップ３０の回動阻止が解除される。
【００３１】
次に、安全キャップ４４が握られる。安全キャップ４４は第一弾性体４９の付勢力に抗して第一軸４８を中心に回動させられる。この回動により、凹部５２とピン３５の係合が解除される。第一安全装置による開閉キャップ３０の回動阻止が解除される。
【００３２】
次に、開閉キャップ３０が握られる。開閉キャップ３０は弾性体３６の付勢力に抗して軸３４を中心に回動させられる。この回動により、開閉キャップ先端３３が鉤部先端１８から離れて、鉤口２２が開放される。
【００３３】
ここでは、説明の便宜上、ロックレバー５８、安全キャップ４４及び開閉キャップ３０の操作を別々に説明したが、実際には、一連の操作となる。フック２が握られて、ロックレバー５８がスライドさせられつつ、安全キャップ４４が握られつつ、開閉キャップ３０が握られる。このフック２では、フック２を握り直すこと無しに一連の操作で、フック２の鉤口２２が開放された状態となる。
【００３４】
図４は、図１のフック２が示された正面図である。図４では、このフック２の鉤口２２は、前述の操作により開放された状態である。この状態で、構造物７１は、フック２から外される。
【００３５】
その後、新たな作業場所の構造物７１に、鉤口２２を通してフック２がかけられる。フック２を握る手の力が緩められると、開閉キャップ３０は弾性体３６の付勢力により軸３４を中心に回動させられる。この回動により、開閉キャップ先端３３が鉤部先端１８に当接する。鉤口２２が閉じられる。
【００３６】
安全キャップ４４は、第一弾性体４９の付勢力により、第一軸４８を中心に回動させられる。この回動により、凹部５２とピン３５とが係合させられる。これにより、開閉キャップ３０の鉤口２２を開放する向きの回動が阻止されている。
【００３７】
ロックレバー５８は、第二弾性体６０の付勢力により、ロック受け面５４と対向する位置に引き戻される。これにより、開閉キャップ３０の鉤口２２を開放する向きの回動が阻止されている。
【００３８】
ここでは、説明の便宜上、開閉キャップ３０、安全キャップ４４及びロックレバー５８の動作を別々に説明したが、実際には、一連の動作となる。安全キャップ４４が回動させられて、鉤口２２が閉じられる。閉じられるとほぼ同時に安全キャップ４４の凹部５２がピン３５に係合させられつつ、ロックレバー５８がロック受け面５４と対向する位置に引き戻される。
【００３９】
この一連の動作で、フック２は、図２の状態に戻る。ロックレバー５８のスライドは、バネによらず、２位置で切り替え可能なレバーであってもよい。このフック２では、第二弾性体６０が開閉キャップの摺動を阻止する位置にロックレバー５８を自動で引き戻す。このフック２は、より安全性が高くなっている。
【００４０】
フック２が構造物７１に係止されていない状態からでも、このフック２では、一連の操作で鉤口２２が開放された状態にできる。図示しない構造物の突起物にフック２の係止部２０が通され、フック２が係止される。フック２が係止された状態で、前述の係止の解除方法と同様にすることで、鉤口２２が一連の操作で開放される。鉤口２２を開放した状態で、フック２は別の構造物７１に係止し直される。フック２が別の構造物７１に係止された後にフック２を握る力が緩められと、弾性体３６、第一弾性体４９及び第二弾性体６０により図２の係止状態に戻る。
【００４１】
ベルト１０２に、フック２を仮係止するリングを備えてもよい。作業者は、構造物から外したフック２をベルトのリングに係止する。フック２を係止した状態で、新たな作業場所に移動する。作業者が前述の構造物７１からのフック２の係止の解除方法と同様にすることで、フック２はリングの係止が解除される。係止が解除されたフック２は、新たな作業場所の構造物７１に係止し直される。フック２を握る力が緩められと、弾性体３６、第一弾性体４９及び第二弾性体６０により図２の係止状態に戻る。このベルト１０２は、構造物の突起物などを必要とせず、よりフック２の操作性に優れる。
【００４２】
このフック２は、フック２を握り替えたり握り直したりせずに、一連の操作でフック２の係止と解除とができる。フック２には、開閉装置６、第一安全装置８及び第二安全装置１０により、三重の安全装置を備えている。
【００４３】
このフック２では、鉤口２２の開放は、開閉キャップ３０は下方に向かって回動させる。安全キャップ４４は上方に向かって回動させる。ロックレバー５８は、左右方向にスライドさせられる。このフック２では、開閉キャップ３０の回動方向とロックレバー５８のスライド方向がほぼ直交している。このため、一方向の外力により、誤って鉤口２２が開放される危険がない。
【００４４】
図５は、本発明の他の実施形態に係るフック７２が示された正面図である。ここでは、図１に示されたフック２と異なる構成について説明される。フック２と同じ構成についてはその説明が省略される。このフック７２では、第二安全装置１０が第一安全装置８に取り付けられている。
【００４５】
第二安全装置１０を構成する、ロック受け面５４及び凹部５６は、フック本体４の下方の側面１２に形成されている。第二安全装置１０は、安全キャップ４４の後方に取り付けられている。第二安全装置１０は、安全キャップ４４の連結部４６に取り付けられている。第二安全装置１０により、安全キャップ４４の回動が阻止されている。第二安全装置１０の位置が異なるが、このフック７２の操作方法はフック２と同じである。フック７２が握られて、ロックレバー５８がスライドさせられ、安全キャップ４４が握られつつ、開閉キャップ３０が握られる。この一連の操作で、フック７２の鉤口２２が開放された状態となる。
【００４６】
この実施形態においても、安全キャップ４４の把握部は上方に向かって回動させられる。ロックレバー５８のスライド方向は、安全キャップ４４の回動方向とほぼ直交している。このため、一方向の外力により、誤って鉤口２２が開放される危険がない。
【００４７】
安全キャップ４４の回動方向は、開閉キャップ３０が握られる際に同時に解除できる向きであればよい。安全キャップ４４が開閉キャップ３０と同時に握れる位置にあればよい。第二安全装置１０は、安全キャップ４４の対向する二面４６に取り付けても良い。この実施形態では、安全キャップ４４は上方に向かって回動させているが、図５の鉛直方向に回動させても良い。フック２を手で握る操作で、安全キャップ４４及び開閉キャップ３０の操作が可能である。
【００４８】
この実施形態では、第二安全装置１０は安全キャップ４４に取り付けられている。ロックレバー５８のスライド方向は、安全キャップ４４の回動方向とほぼ直交していればよい。これにより、一方向の外力により誤って鉤口２２が開放される危険がない。
【００４９】
図６は、本発明の更に他の実施形態に係るフック７３が示された正面図である。ここでは、図１に示されたフック２と異なる構成について説明される。このフック７３では、２つの第二安全装置１０が取り付けられている。一の第二安全装置１０が開閉装置６に取り付けられている。更に、他の第二安全装置１０が第一安全装置８に取り付けられている。このフック２は、四重の安全装置を備えている。
【００５０】
第二安全装置１０が２つである点で異なるが、このフック７３の操作方法はフック２と同じである。フック７３が握られて、２つのロックレバー５８がスライドさせられつつ、安全キャップ４４が握られつつ、開閉キャップ３０が握られる。この一連の操作で、フック７３の鉤口２２が開放された状態となる。このフック７３は握り直したり持ち直したりせずに、フック７３の係止と解除とができる。この一連の操作のため、２つのロックレバー５８の摺動向きは同じであることが好ましい。
【００５１】
このフック７３では、開閉キャップ３０及び安全キャップ４４の回動方向と２つのロックレバー５８の摺動方向がほぼ直交している。このため、一方向の外力により、誤って鉤口２２が開放される危険がない。このフック２は、四重の安全装置により、より安全が確保されている。
【００５２】
図７は、本発明の更に他の実施形態に係るフック７４の一部が示された拡大断面図である。ここでは、図１に示されたフック２と異なる構成について説明される。このフック７４は、２つの第二安全装置１０を備えている。一の第二安全装置１０が開閉装置６に取り付けられている。更に、他の第二安全装置１０が第一安全装置８に取り付けられている。第二安全装置１０は、ロック受け面５４、凹部５６、ロックレバー７６、第二弾性体７８、レバーピン８０及び長孔６４から構成されている。この第二安全装置１０は、開閉キャップ３０又は安全キャップ４４のいずれか一方に取り付けられてもよい。
【００５３】
ロックレバー７６は、レバー本体８２、ロック突起８４及びレバーつまみ８６からなる。レバー本体８２は中央部には孔が形成された円筒形状である。このレバー本体８２の円筒外周面から半径方向にロック突起８４及びレバーつまみ８６がそれぞれ延びている。第二弾性体７８は中央部がＵ字型に折り曲げ、両端が同じ一方向に延びている。Ｕ字型と両端との間は渦巻きバネになっている。
【００５４】
ここでは、開閉キャップ３０に取り付けられた第二安全装置１０について説明される。安全キャップ４４に取り付けられた第二安全装置１０も同様であり、その説明は省略される。ロックレバー７６は、開閉キャップ３０の連結部３２に形成された長孔６４に通されている。レバーピン８０は、長孔６４の近傍で、開閉キャップ３０の対向する２面３１に架け渡されて固定されている。このレバーピン８０は、レバー本体８２の孔に通されている。これにより、ロックレバー７６はレバーピン８０に回動可能に保持されている。
【００５５】
このレバーピン８０には、第二弾性体７８の渦巻きバネが通されている。第二弾性体７８のＵ字型には、ロック突起８４が係止されている。第二弾性体７８の両端は、開閉キャップ３０の連結部３２に係止されている。この第二弾性体７８の付勢力により、ロックレバー７６のレバーつまみ８６が長孔６４の左側面に当接させられている。フック本体４の上方の側面１２には、ロック突起８４の先端に対向する位置にロック受け面５４が形成されている。フック本体４の上方の側面１２には、このロック受け面５４に連続して凹部５６が形成されている。凹部５６は、ロック突起８４が第二弾性体７８の付勢力に抗して回動させられる向きにロック受け面５４に隣接して形成されている。
【００５６】
ロック突起８４の先端は、ロック受け面５４に対向している。開閉キャップ３０が鉤口２２を開放する向きに回動すると、ロック突起８４がロック受け面５４に当接する。この当接により、開閉キャップ３０の回動が阻止されている。ロック突起８４がロック受け面５４と対向する位置で、レバーつまみ８６は、レバーピン８０に対して左側で長孔６４の左側内面に当接することが望ましい。これにより、開閉キャップ３０を下方に押し下げる外力により誤ってレバーつまみ８６が解除方向に回動することが防止できる。
【００５７】
このフック７４の使用方法が説明される。図７のフック７４の開閉キャップ３０及び安全キャップ４４が握られる。握ったまま、フック７４が後端側に引かれる。フック７４は構造物７１に係止されている。手は、握られた状態でフック７４に対して後端側にスライドする。この手のスライドによりロックレバー７６が、第二弾性体７８の付勢力に抗してレバーピン８０を中心にして回動する。ロック突起８４は凹部５６の上方に移動させられる。これにより、第二安全装置１０による開閉キャップ３０の回動阻止が解除される。
【００５８】
同様にして、安全キャップ４４に取り付けられた第二安全装置１０が解除される。開閉キャップ３０及び安全キャップ４４に取り付けられた、２つのロックレバー７６の回動向きが同じであることが望ましい。開閉キャップ３０及び安全キャップ４４を握った手を一方にスライドさせることで２つ第二安全装置１０を同時に解除できる。
【００５９】
次に、安全キャップ４４が握られる。安全キャップ４４は第一弾性体４９の付勢力に抗して第一軸４８を中心に回動させられる。この回動により、凹部５２とピン３５の係合が解除される。第一安全装置８による開閉キャップ３０の回動阻止が解除される。
【００６０】
次に、開閉キャップ３０が握られる。開閉キャップ３０は弾性体３６の付勢力に抗して軸３４を中心に回動させられる。この回動により、開閉キャップ３０の先端が鉤部先端１８から離れて、鉤口２２が開放される。
【００６１】
ここでは、説明の便宜上、ロックレバー７６、安全キャップ４４及び開閉キャップ３０の操作を別々に説明したが、実際には、一連の操作となる。フック７４が握られて、ロックレバー７６が回動させられつつ、安全キャップ４４が握られつつ、開閉キャップ３０が握られる。この一連の操作で、フック７４の鉤口２２が開放された状態となる。この一連の操作ためには、ロックレバー７６は開閉キャップ３０と安全キャップ４４とを握った状態で操作できる位置にあればよい。
【００６２】
第二安全装置１０は、開閉キャップ３０又は安全キャップ４４の対向する二面３１、４５のいずれかの面に取り付けても良い。ロックレバー７６の回動方向は、取り付けられる開閉キャップ３０又は安全キャップ４４の回動方向と直交する向きとする。これにより、一方向の外力で誤って鉤口２２が開放されることが防止される。
【産業上の利用可能性】
【００６３】
本発明は、電気工事、建設工事及び土木工事他の高所作業に使用される安全帯用フックに適用されうる。
【図面の簡単な説明】
【００６４】
【図１】図１は、本発明の一実施形態に係るフックが取り付けられた安全帯が示された正面図である。
【図２】図２は、図１のフックが示された正面図である。
【図３】図３は、図１のフックの一部の拡大断面図である。
【図４】図４は、図１のフックが示された正面図である。
【図５】図５は、本発明の他の実施形態に係るフックが示された正面図である。
【図６】図６は、本発明の更に他の実施形態に係るフックが示された正面図である。
【図７】図７は、本発明の更に他の実施形態に係るフックの一部分の拡大断面図である。
【符号の説明】
【００６５】
２・・・フック
４・・・フック本体
６・・・開閉装置
８・・・第一安全装置
１０・・・第二安全装置
１１・・・平面
１２・・・側面
１３・・・鉤部
１４・・・環部
１６・・・鉤部本体
１８・・・鉤部先端
２０・・・係止部
２２・・・鉤口
２４・・・軸孔
２６・・・長孔
２８・・・弾性体座部
３０・・・開閉キャップ
３１・・・面
３２・・・連結部
３３・・・開閉キャップ先端
３４・・・軸
３５・・・ピン
３６・・・弾性体
３８・・・突起
４０・・・第一軸孔
４２・・・第一弾性体座部
４４・・・安全キャップ
４５・・・面
４６・・・連結部
４７・・・安全キャップ先端
４８・・・第一軸
４９・・・第一弾性体
５０・・・第一突起
５２・・・凹部
５４・・・ロック受け面
５６・・・凹部
５８・・・ロックレバー
６０・・・第二弾性体
６２・・・第二弾性体止め具
６４・・・長孔
６６・・・ロック棒
６８・・・つまみ
７０・・・円板
７１・・・構造物
７２・・・フック
７３・・・フック
７４・・・フック
７６・・・ロックレバー
７８・・・第二弾性体
８０・・・レバーピン
８２・・・レバー本体
８４・・・ロック突起
８６・・・レバーつまみ
１００・・・安全帯
１０２・・・ベルト
１０４・・・角環
１０６・・・伸縮調節器
１０８・・・ロープ
【図１】
0004989405.tif 000002
【図２】
0004989405.tif 000003
【図３】
0004989405.tif 000004
【図４】
0004989405.tif 000005
【図５】
0004989405.tif 000006
【図６】
0004989405.tif 000007
【図７】
0004989405.tif 000008